(57)【要約】【課題】編集可能な楽譜をハイブリッドで販売することを主目的としたシステムを提供する。【解決手段】楽譜販売サービスシステム１の楽譜販売サービス装置２は，ＰＯＤシステム３に対応した言語で記述した印刷用楽譜ファイル２６０と，音楽記号をテキストで扱うフォーマットで記述した電子楽譜ファイル２７０を楽譜ごとに記憶し，ユーザ端末４から受信した楽譜発注情報で示される発行形態が紙の場合，楽譜発注情報で示される楽譜の印刷用楽譜ファイル２６０をＰＯＤシステム３へ送信して紙楽譜２６０ａを製造すし，発行形態が電子の場合，楽譜発注情報で示される楽譜の電子楽譜ファイル２７０を，ユーザのライブラリ２８０に保存する。【選択図】図１
2020024683.tif 000002
【特許請求の範囲】
【請求項１】
オンデマンド印刷に対応したＰＯＤプリンタと，楽譜の販売サービスを提供するポータルサイトを運営している楽譜販売サービス装置を含み，
前記楽譜販売サービス装置は，前記ＰＯＤプリンタに対応した言語で記述した印刷用楽譜ファイルと，音楽記号をテキストで扱うフォーマットで記述した電子楽譜ファイルを楽譜ごとに記憶し，ユーザ端末から受信した楽譜発注情報で示される発行形態が紙楽譜の場合，前記楽譜発注情報で示される楽譜の前記印刷用楽譜ファイルを前記ＰＯＤプリンタへ送信して紙楽譜を印刷し，前記楽譜発注情報で示される発行形態が電子楽譜の場合，前記楽譜発注情報で示される楽譜の前記電子楽譜ファイルを，前記ユーザ端末を操作するユーザのライブラリに追加する楽譜販売管理手段と，ライブラリに保存された前記電子楽譜ファイルの中から，前記ユーザ端末から受信したダウンロード要求で示される前記電子楽譜ファイルを前記ユーザ端末に配信するダウンロード管理手段を備え，前記ポータルサイトにより，前記楽譜販売管理手段を利用する楽譜販売サービスと前記ダウンロード管理手段を利用する電子楽譜ダウンロードサービスを少なくとも提供している，
ことを特徴とする楽譜販売サービスシステム。
【請求項２】
発行形態が紙楽譜で，かつ，前記ＰＯＤプリンタが対応している紙楽譜の加工形態が前記楽譜発注情報で示される場合，前記楽譜販売サービス装置の前記楽譜販売管理手段は，前記楽譜発注情報で示され紙楽譜の印刷と前記楽譜発注情報で示され紙楽譜の加工を前記ＰＯＤプリンタに行わせることを特徴とする，請求項１に記載した楽譜販売サービスシステム。
【請求項３】
前記楽譜販売サービス装置は，前記電子楽譜ファイルを取り扱えるように構成された楽譜アプリケーションを前記ユーザ端末に配信するアプリケーション配信手段を備え，前記ポータルサイトにより，前記アプリケーション配信手段を利用するアプリケーション配信サービスを提供し，前記楽譜アプリケーションは，前記ダウンロード管理手段を利用して前記電子楽譜ファイルを前記ユーザ端末にダウンロードする機能と，前記電子楽譜ファイルに含まれるテキストを解釈して，前記電子楽譜ファイルに対応する楽譜画像を表示デバイスに表示する機能と，それぞれ異なる楽譜編集機能を提供する複数の楽譜編集ツールを有していることを特徴とする，請求項１または請求項２に記載した楽譜販売サービスシステム。
【請求項４】
前記楽譜アプリケーションは，前記ユーザが実行した前記楽譜編集ツールの処理結果をテキストで記した前記電子楽譜ファイルの編集履歴を，前記電子楽譜ファイルとは別に前記ユーザ端末に保存する機能と，前記電子楽譜ファイルの編集履歴を読み込み，前記ユーザ端末に表示している前記楽譜画像に反映させる機能を有していることを特徴とする，請求項３に記載した楽譜販売サービスシステム。
【請求項５】
前記ポータルサイトにて，楽譜を利用するＬＭＳサービスや楽譜利用者間のコミュニケーション支援を可能にするＳＮＳサービスが提供されていることを特徴とする，請求項１から請求項４のいずれか一項に記載した楽譜販売サービスシステム。
【請求項６】
オンデマンド印刷に対応したＰＯＤプリンタと，書籍の販売サービスを提供するポータルサイトを運営している書籍販売サービス装置を含み，
前記書籍販売サービス装置は，前記ＰＯＤプリンタに対応した言語で記述した印刷用書籍ファイルと，拡張可能なマーク付け言語を利用する電子書籍のフォーマットで記述され，音楽記号をテキストで扱うフォーマットで記述した電子楽譜ファイルを専用のマークを利用してエンコードした電子書籍である電子楽譜内包書籍を記憶し，ユーザ端末から受信した書籍発注情報で示される発行形態が紙楽譜の場合，前記書籍発注情報で示される前記印刷用書籍ファイルを前記ＰＯＤプリンタへ送信して紙楽譜を印刷し，前記書籍発注情報で示される発行形態が電子書籍の場合，前記書籍発注情報で示される前記電子楽譜内包書籍を，前記ユーザ端末を操作するユーザのライブラリに追加する書籍販売管理手段と，ライブラリに保存された前記電子楽譜内包書籍の中から，前記ユーザ端末から受信したダウンロード要求で示される前記電子楽譜内包書籍を前記ユーザ端末に配信するダウンロード管理手段を備え，前記ポータルサイトにより，前記書籍販売管理手段を利用する書籍販売サービスと前記ダウンロード管理手段を利用する前記電子楽譜内包書籍のダウンロードサービスを少なくとも提供している，
ことを特徴とする楽譜販売サービスシステム。
【請求項７】
前記書籍販売サービス装置は，前記電子書籍を表示できるように構成された電子書籍ビューアを前記ユーザ端末に配信するアプリケーション配信手段を備え，前記ポータルサイトにより，前記アプリケーション配信手段を利用するアプリケーション配信サービスを提供し，前記電子書籍ビューアは，前記ダウンロード管理手段を利用して電子書籍を前記ユーザ端末にダウンロードする機能と，前記電子書籍を表示デバイスに表示する機能と，表示デバイスに前記電子楽譜内包書籍を表示している場合，前記電子楽譜ファイルを示す専用のマークを利用して，表示デバイスに表示している前記電子楽譜内包書籍から前記電子楽譜ファイルをデコードする機能を有していることを特徴とする，請求項６に記載した楽譜販売サービスシステム。
【請求項８】
発行形態が紙楽譜で，かつ，前記ＰＯＤプリンタが対応している紙楽譜の加工形態が前記書籍発注情報で示される場合，前記書籍販売サービス装置の前記書籍販売管理手段は，前記書籍発注情報で示され紙楽譜の印刷と前記書籍発注情報で示され紙楽譜の加工を前記ＰＯＤプリンタに行わせることを特徴とする，請求項６または請求項７に記載した楽譜販売サービスシステム。
【発明の詳細な説明】
【技術分野】
【０００１】
本発明は，インターネット上のサイトで楽譜を販売する技術に関する。
【背景技術】
【０００２】
楽譜の販売チャネルには，市街地にある楽器取扱店やネットワーク上にある国内外の楽譜販売サイトがあるが，書籍と比較して楽譜の販売チャネルは少ないのが現状である。このことが，楽譜の違法コピーが行われている原因の一つになっているため，演奏者が利用し易い楽譜の販売チャネルを構築することが望まれている。
【０００３】
現在の販売チャネルで販売されている楽譜の種類には，楽譜の情報を紙媒体などに印刷した紙楽譜と，楽譜の記譜情報をデジタル画像化した電子楽譜の２つの種類があり，それぞれ適した用途は異なる。紙楽譜は，管弦楽からバンド活動・コーラスまで含めた一般的な演奏に適しており，例えば，ピアノの演奏に用いる楽譜には，中綴じ製本された楽譜や使い勝手を考慮して自ら追加製本加工したものが利用される。また，電子楽譜は，演奏の練習やイメージトレーニング、さらには画像化した大量の楽譜を持ち運ぶことに適しており，電子楽譜はタブレットコンピュータに表示されて利用されるのが一般的である。
【０００４】
このことからして，演奏者が利用し易い楽譜の販売チャネルには，ハイブリッドで楽譜の販売が行えること，すなわち，楽譜を購入する演奏者の要求に合わせた発行形態（紙楽譜または電子楽譜）で楽譜を販売できることが望まれる。
【０００５】
楽譜の販売に係る発明として，特許文献１では，ユーザが必要とする楽譜の検索と発注を同時に行うことができる楽譜情報配布システムが開示されている。この楽譜情報配布システムは，ユーザが指定した検索条件に適合する電子楽譜を検索してユーザに提示する機能，ユーザが発注した電子楽譜の購入代金に係る決済を行う機能，および，決済が済んだ電子楽譜をユーザ側の装置に格納する機能などを備える。
【０００６】
また，楽譜はそのままの状態ではなく，演奏者が自分の演奏に合わせて楽譜をアレンジすることがあるため，演奏者が利用し易い楽譜の販売チャネルには，演奏者が楽譜のアレンジ機能を提供できることが更に望まれる。紙楽譜の場合，文字や記号を紙媒体に書き込むことで紙楽譜をアレンジでき，電子楽譜の場合，電子楽譜のアレンジ機能を備えたアプリケーションが必要になる。電子楽譜のアレンジに係る発明としては，特許文献２において，各パートの楽譜が並列して記述されている総譜（フルスコア）の電子楽譜を，パートごとの楽譜になるパート譜にアレンジして出力する装置が開示されている。更に，特許文献３では，原稿楽譜の形態を崩さずに、楽譜の余白領域に補助記号を簡易に付加できる装置が開示されている。
【先行技術文献】
【特許文献】
【０００７】
【特許文献１】特開平１０−１７７３９２号公報
【特許文献２】特開２００３−２８８０７５号公報
【特許文献３】特開２０１０−２２００９７号公報
【発明の概要】
【発明が解決しようとする課題】
【０００８】
このことを鑑みて，本発明は，編集可能な楽譜をハイブリッドで販売することを主目的としたシステムを提供する。
【課題を解決するための手段】
【０００９】
上述した課題を解決する第１発明は，オンデマンド印刷に対応したＰＯＤプリンタと，楽譜の販売サービスを提供するポータルサイトを運営している楽譜販売サービス装置を含み，前記楽譜販売サービス装置は，前記ＰＯＤプリンタに対応した言語で記述した印刷用楽譜ファイルと，音楽記号をテキストで扱うフォーマットで記述した電子楽譜ファイルを楽譜ごとに記憶し，ユーザ端末から受信した楽譜発注情報で示される発行形態が紙楽譜の場合，前記楽譜発注情報で示される楽譜の前記印刷用楽譜ファイルを前記ＰＯＤプリンタへ送信して紙楽譜を印刷し，前記楽譜発注情報で示される発行形態が電子楽譜の場合，前記楽譜発注情報で示される楽譜の前記電子楽譜ファイルを，前記ユーザ端末を操作するユーザのライブラリに追加する楽譜販売管理手段と，ライブラリに保存された前記電子楽譜ファイルの中から，前記ユーザ端末から受信したダウンロード要求で示される前記電子楽譜ファイルを前記ユーザ端末に配信するダウンロード管理手段を備え，前記ポータルサイトにより，前記楽譜販売管理手段を利用する楽譜販売サービスと前記ダウンロード管理手段を利用する電子楽譜ダウンロードサービスを少なくとも提供していることを特徴とする楽譜販売サービスシステムである。第１発明に係る楽譜販売サービスシステムは，上述の課題を解決できるように，前記ＰＯＤプリンタを用いて印刷した紙楽譜，または，音楽記号をテキストで扱うフォーマットで記述した電子楽譜を前記ユーザに販売できるように構成されている。
【００１０】
更に，第２発明は，第１発明に記載した楽譜販売サービスシステムおいて，発行形態が紙楽譜で，かつ，前記ＰＯＤプリンタが対応している紙楽譜の加工形態が前記楽譜発注情報で示される場合，前記楽譜販売サービス装置の前記楽譜販売管理手段は，前記楽譜発注情報で示され紙楽譜の印刷と前記楽譜発注情報で示され紙楽譜の加工を前記ＰＯＤプリンタに行わせることを特徴とする。第２発明では，前記ユーザが希望する加工形態（使い勝手を考慮してユーザ自ら追加製本加工する必要のない、例えば蛇腹折り形態）の紙楽譜を製造できるので，前記楽譜販売サービスシステムの利便性をより高めることができる。
【００１１】
更に，第３発明は，第１発明または第２発明に記載した楽譜販売サービスシステムにおいて，前記楽譜販売サービス装置は，前記電子楽譜ファイルを取り扱えるように構成された楽譜アプリケーションを前記ユーザ端末に配信するアプリケーション配信手段を備え，前記ポータルサイトにより，前記アプリケーション配信手段を利用するアプリケーション配信サービスを提供し，前記楽譜アプリケーションは，前記ダウンロード管理手段を利用して前記電子楽譜ファイルを前記ユーザ端末にダウンロードする機能と，前記電子楽譜ファイルに含まれるテキストを解釈して，前記電子楽譜ファイルに対応する楽譜画像を表示デバイスに表示する機能と，それぞれ異なる楽譜編集機能を提供する複数の楽譜編集ツールを有していることを特徴とする。第３発明によれば，前記楽譜販売サービス装置が運営している前記ポータルサイトを利用する前記ユーザに，前記電子楽譜ファイルを活用できる前記楽譜編集ツールを提供できる。
【００１２】
更に，第４発明は，第３発明に記載した楽譜販売サービスシステムにおいて，前記楽譜アプリケーションは，前記ユーザが実行した前記楽譜編集ツールの処理結果をテキストで記した前記電子楽譜ファイルの編集履歴を，前記電子楽譜ファイルとは別に前記ユーザ端末に保存する機能と，前記電子楽譜ファイルの編集履歴を読み込み，前記ユーザ端末に表示している前記楽譜画像に反映させる機能を有していることを特徴とする。前記電子楽譜ファイルの編集履歴を，前記電子楽譜ファイルとは別のファイルで保存すれば，前記ユーザは，アレンジごとに同じ前記電子楽譜ファイルを購入しなくとも，一つの前記電子楽譜ファイルを様々なアレンジに使い回しでき，前記楽譜販売サービスシステムの利便性はより高まる。
【００１３】
更に，第５発明は，第１発明から第４発明のいずれか一つに記載した楽譜販売サービスシステムにおいて，前記ポータルサイトにて，楽譜を利用するＬＭＳサービスや楽譜利用者間のコミュニケーション支援を可能にするＳＮＳサービスが提供されていることを特徴とする。前記ポータルサイトにて，楽譜を利用するＬＭＳサービスやＳＮＳサービスを提供することで，前記楽譜販売サービスシステムの利便性をより高められる。
【００１４】
更に，第６発明は，オンデマンド印刷に対応したＰＯＤプリンタと，電子書籍の販売サービスを提供するポータルサイトを運営している書籍販売サービス装置を含み，前記書籍販売サービス装置は，前記ＰＯＤプリンタに対応した言語で記述した印刷用書籍ファイルと，拡張可能なマーク付け言語を利用する電子書籍のフォーマットで記述され，音楽記号をテキストで扱うフォーマットで記述した電子楽譜ファイルを専用のマークを利用してエンコードした電子書籍である電子楽譜内包書籍を記憶し，ユーザ端末から受信した書籍発注情報で示される発行形態が紙楽譜の場合，前記書籍発注情報で示される前記印刷用書籍ファイルを前記ＰＯＤプリンタへ送信して紙楽譜を印刷し，前記書籍発注情報で示される発行形態が電子書籍の場合，前記書籍発注情報で示される前記電子楽譜内包書籍を，前記ユーザ端末を操作するユーザのライブラリに追加する書籍販売管理手段と，ライブラリに保存された前記電子楽譜内包書籍の中から，前記ユーザ端末から受信したダウンロード要求で示される前記電子楽譜内包書籍を前記ユーザ端末に配信するダウンロード管理手段を備え，前記ポータルサイトにより，前記書籍販売管理手段を利用する書籍販売サービスと前記ダウンロード管理手段を利用する前記電子楽譜内包書籍のダウンロードサービスを少なくとも提供していることを特徴とする楽譜販売サービスシステムである。第６発明は，印刷媒体および電子媒体の両方で書籍を販売している既存の電子書籍流通プラットフォームを利用して，前記電子楽譜ファイルを販売できるようにした発明である。
【００１５】
更に，第７発明は，第６発明に記載した楽譜販売サービスシステムにおいて，前記書籍販売サービス装置は，前記電子書籍を表示できるように構成された電子書籍ビューアを前記ユーザ端末に配信するアプリケーション配信手段を備え，前記ポータルサイトにより，前記アプリケーション配信手段を利用するアプリケーション配信サービスを提供し，前記電子書籍ビューアは，前記ダウンロード管理手段を利用して電子書籍を前記ユーザ端末にダウンロードする機能と，前記電子書籍を表示デバイスに表示する機能と，表示デバイスに前記電子楽譜内包書籍を表示している場合，前記電子楽譜ファイルを示す専用のマークを利用して，表示デバイスに表示している前記電子楽譜内包書籍から前記電子楽譜ファイルをデコードする機能を有していることを特徴とする。第７発明は，請求項６に記載した楽譜販売サービスシステム。第７発明によれば，前記電子書籍ビューアに前記電子楽譜ファイルのデコード機能をもたせることで，ユーザは，前記電子楽譜内包書籍にエンコードされた前記電子楽譜ファイルを取り出して利用できる。
【００１６】
更に，第８発明は，第６発明または第７発明に記載した楽譜販売サービスシステムにおいて，発行形態が紙楽譜で，かつ，前記ＰＯＤプリンタが対応している紙楽譜の加工形態が前記書籍発注情報で示される場合，前記楽譜販売サービス装置の前記書籍販売管理手段は，前記書籍発注情報で示され紙楽譜の印刷と前記書籍発注情報で示され紙楽譜の加工を前記ＰＯＤプリンタに行わせることを特徴とする。第８発明では，前記ユーザが希望する加工形態（使い勝手を考慮してユーザ自ら追加製本加工する必要のない、例えば蛇腹折り形態）の紙楽譜を製造できるので，前記楽譜販売サービスシステムの利便性をより高めることができる。
【発明の効果】
【００１７】
上述した発明によれば，編集可能な楽譜をハイブリッドで販売することを主目的とした楽譜販売サービスシステムを提供できる。
【図面の簡単な説明】
【００１８】
【図１】実施形態１に係る楽譜販売サービスシステムの構成を説明する図。
【図２】実施形態１に係る楽譜販売サービス装置が備える機能を説明する図。
【図３】実施形態１に係る楽譜販売サービス装置の動作を説明する図。
【図４】実施形態１に係るポータルサイトが有するウェブ画面を説明する図。
【図５】楽譜アプリケーションの機能を説明する図。
【図６】ホーム画面を説明する図。
【図７】ライブラリ画面を説明する図。
【図８】楽譜アプリケーションが楽譜画像の表示に用いる操作画面を説明する図。
【図９】実施形態２に係る楽譜販売サービスシステムの構成を説明する図。
【図１０】実施形態２に係る楽譜販売サービス装置が備える機能を説明する図。
【図１１】電子書籍を説明する図。
【図１２】電子楽譜内包書籍を説明する図。
【図１３】実施形態２に係る書籍販売サービス装置の動作を説明する図。
【図１４】実施形態２に係るポータルサイトが有するウェブ画面を説明する図。
【図１５】電子書籍ビューアの機能を説明する図。
【図１６】ホーム画面を説明する図。
【図１７】ライブラリ画面を説明する図。
【図１８】電子書籍ビューアのメニュー画面を説明する図。
【発明を実施するための形態】
【００１９】
ここから，本発明の好適な実施形態を記載する。なお，以下の記載は本発明の技術的範囲を束縛するものでなく，本発明の理解を助けるために記述するものである。
【００２０】
（実施形態１）
図１は，実施形態１に係る楽譜販売サービスシステム１の構成を説明する図である。本発明に係る楽譜販売サービスシステム１は，ハイブリッドで楽譜を販売できるように発案されたシステムである。なお，ハイブリッドで楽譜を販売できるとは，同一の楽譜を印刷媒体および電子媒体の両方で販売できることを意味する。
【００２１】
図１で図示したように，実施形態１に係る楽譜販売サービスシステム１は，ハイブリッドで楽譜を販売するサービスを提供する装置である楽譜販売サービス装置２と，楽譜販売サービス装置２と接続しているＰＯＤシステム３（POD: Print on Demand）を含み，図１では，楽譜販売サービスシステム１を利用して楽譜を購入するユーザが操作する端末であるユーザ端末４を図示している。図１において，楽譜販売サービス装置２とユーザ端末４はそれぞれインターネット５０を介して接続し，楽譜販売サービス装置２とＰＯＤシステム３はイントラネット５１を介して接続している。
【００２２】
楽譜販売サービスシステム１に含まれるＰＯＤシステム３は，楽譜をオンデマンド印刷するシステムで，プリントサーバとして機能するＰＯＤ管理装置３０と，ＰＯＤ管理装置３０が受け付けた印刷要求に応じた印刷物を出力するＰＯＤプリンタ３１を含む。実施形態１に係るＰＯＤプリンタ３１は，印刷機能に加えて，複数の加工機能（蛇腹折り，中綴じ，ＰＵＲ製本(PUR: Poly Urethane Resin)など）を有する。
【００２３】
楽譜販売サービス装置２は，楽譜の販売サービスを提供するポータルサイト２０を運営している装置で，楽譜販売サービス装置２で取り扱う楽譜ごとに，ＰＯＤシステム３（具体的にはＰＯＤプリンタ３１になる）に対応した言語で記述した印刷用楽譜ファイル２６０と，音楽記号（音部記号，音符と休符，拍子記号，変化記号，調号と臨時記号， 演奏記号など）をテキストで扱うフォーマットで記述した電子楽譜ファイル２７０を記憶する。音楽記号をテキストで扱うフォーマットとしては，楽譜のオープンフォーマットであるＭｕｓｉｃＸＭＬや，ＰＤＦ楽譜（PDF: Portable Document Format）を用いることがで
き、必要に応じてＤＲＭ（DRM: Digital Rights Management)を施すこともできる。
【００２４】
演奏者が自分の演奏に合わせて楽譜をアレンジすることがあるため，電子楽譜ファイル２７０は編集可能であることが望ましく，実施形態１では，電子楽譜ファイル２７０の編集を容易に行えるように，音楽記号をテキストで扱うフォーマットで電子楽譜ファイル２７０を記述している。音楽記号をテキストで扱うフォーマットで電子楽譜ファイル２７０を記述することで，電子楽譜ファイル２７０の編集履歴を，電子楽譜ファイル２７０とは別のファイルで保存できる。電子楽譜ファイル２７０の編集履歴を，電子楽譜ファイル２７０とは別のファイルで保存すれば，ユーザは，アレンジごとに同じ電子楽譜ファイル２７０を購入しなくとも，一つの電子楽譜ファイル２７０を様々なアレンジに使い回しできる。
【００２５】
楽譜販売サービス装置２は，ユーザ端末４から受信した楽譜発注情報で示される発行形態が紙の場合，楽譜発注情報で示される楽譜の印刷用楽譜ファイル２６０をＰＯＤシステム３へ送信し，楽譜発注情報で示される印刷用楽譜ファイル２６０の印刷と，楽譜発注情報で示される加工を行った紙楽譜２６０ａを製造する。ＰＯＤシステム３のＰＯＤプリンタ３１で印刷した紙楽譜２６０ａは，楽譜発注情報で指定された住所に配送されて，ユーザに引き渡される。また，楽譜販売サービス装置２は，ユーザ端末４から受信した楽譜発注情報で示される発行形態が電子の場合，楽譜発注情報で示される楽譜の電子楽譜ファイル２７０は，ユーザがダウンロードを希望するときに，インターネット５０を経由してユーザ端末４に送信され，ユーザに引き渡される。
【００２６】
ここから，ハイブリッドで楽譜を販売する楽譜販売サービス装置２について詳細に説明する。図２は，楽譜販売サービス装置２が備える機能を説明する図である。楽譜販売サービス装置２は汎用サーバを利用して実現される装置である。楽譜販売サービス装置２として利用する汎用サーバには特別なデバイスは必要としないので，楽譜販売サービス装置２が有するハードウェアについての詳細な説明は行わなが，楽譜販売サービス装置２は，プロセッサ，メモリやネットワーク通信回路などを備え，大容量のストレージ（例えば，ハードディスク）と接続している。
【００２７】
図２で図示したように，楽譜販売サービス装置２は，コンピュータプログラムで実現される機能として，ポータルサイト２０，楽譜販売管理手段２１，アプリケーション配信手段２２，ダウンロード管理手段２３，および，ログイン管理手段２４を備え，大容量のストレージに構築されたデータベース（DB: Data Base）として，印刷用楽譜ＤＢ２６，電子楽譜ＤＢ２７，書誌ＤＢ２５およびユーザＤＢ２８を備える。
【００２８】
楽譜販売サービス装置２が備えるＤＢについて説明する。印刷用楽譜ＤＢ２６は，楽譜の識別に用いる楽譜識別番号に関連付けて，楽譜の印刷用楽譜ファイル２６０を記憶するＤＢである。市販されているＰＯＤプリンタ３１は，ポストスクリプト型のページ記述言語に対応したものが多いので，印刷用楽譜ファイル２６０を記述する言語に，ポストスクリプト型のページ記述言語を用いることが望ましい。なお，印刷用楽譜ＤＢ２６に登録する印刷用楽譜ファイル２６０は，楽譜提供者が提供する紙の楽譜をスキャナーで読み取ることで生成できる。
【００２９】
電子楽譜ＤＢ２７は，楽譜識別番号に関連付けて，楽譜の電子楽譜ファイル２７０を記憶するＤＢである。電子楽譜ＤＢ２７に記憶する電子楽譜ファイル２７０は，楽譜提供者が提供する紙の楽譜に記された音楽記号を，ＡＩを利用したＯＣＲで認識してテキスト化（浄書）した後，テキスト化した楽譜の校正作業を行うことで付加価値情報として生成できる。
【００３０】
楽譜販売サービス装置２が備える書誌ＤＢ２５は，楽譜識別番号に関連付けて，楽譜に係る書誌データ２５０を記憶するＤＢである。楽譜に係る書誌データ２５０は，複数の書誌項目ごとの項目データと，楽譜のサムネイルを含む。楽譜の書誌項目は，楽譜の金額を含み，楽譜提供者，楽譜の曲名，楽譜の作曲家名，楽譜のカテゴリ，楽譜の演奏形態，楽譜の難易度などを金額以外の書誌項目として含んでいる。項目データの内容は，楽譜提供者から取得する情報に基づき楽譜販売サービス装置２の運営者側で設定することになる。楽譜のサムネイルの生成には，印刷用楽譜ファイル２６０の表紙を利用できる。
【００３１】
楽譜販売サービス装置２が備えるユーザＤＢ２８は，ユーザに係る情報を記憶するＤＢである。ユーザＤＢ２８には，ユーザの識別に用いるユーザ識別番号に関連付けて，ユーザのパスワード，ユーザの決済情報（例えば，クレジットカード情報），ユーザが購入した電子楽譜ファイル２７０を保存するユーザのライブラリ２８０が記憶される。ライブラリ２８０に保存する内容は任意であるが，こことで，電子楽譜ファイル２７０とこれに対応する楽譜の書誌データ２５０などをライブラリ２８０に記憶している。ユーザ識別番号とパスワードは，ユーザが楽譜販売サービス装置２の利用登録を行ったときに，ユーザＤＢ２８に登録される。また，ユーザが購入した電子楽譜ファイル２７０とこの電子楽譜ファイル２７０に対応する書誌データ２５０は，ユーザが楽譜を購入したときに，ライブラリ２８０に登録される。
【００３２】
楽譜販売サービス装置２が備えるログイン管理手段２４は，楽譜販売サービス装置２にログインするユーザを認証する機能を有する。楽譜販売サービス装置２が備えるログイン管理手段２４は，ユーザ識別番号とパスワードが引き渡されると，ユーザ識別番号に関連付けてユーザＤＢ２８に記憶されているパスワードと，引き渡されたパスワードを照合することで，楽譜販売サービス装置２にログインするユーザを認証する。
【００３３】
楽譜販売サービス装置２が備える楽譜販売管理手段２１は，楽譜の販売に係る楽譜販売サービスに用いられる機能で，楽譜の販売に係るサービスを提供する機能として，楽譜販売管理部２１０，楽譜検索部２１１および決済処理部２１２を備えている。
【００３４】
楽譜販売サービス装置２が備える楽譜販売管理手段２１の動作を説明しながら，楽譜販売管理手段２１およびポータルサイト２０について詳細に説明する。図３は，楽譜販売サービス装置２の動作を説明する図で，図４は，ポータルサイト２０が有するウェブ画面を説明する図である。
【００３５】
楽譜販売管理手段２１が備えるポータルサイト２０は，楽譜の販売サービスに必要な複数のウェブ画面を有し，ポータルサイト２０へアクセスしたユーザ端末４へ，楽譜の販売に係るサービスの窓口となるポータル画面２００を送信する（Ｓ１）。
【００３６】
図４（ａ）は，ポータル画面２００を説明する図である。図４（ａ）で図示したポータル画面２００は，楽譜販売サービス装置２のアプリケーション配信手段２２を呼び出すときにユーザが操作するアプリケーションダウンロードボタン２００ａ，楽譜検索を行うときにユーザが操作する検索ボタン２００ｂ，ライブで配信される演奏やビデオクリップで配信される演奏などの動画サービスをユーザに提供するポートレット２００ｃに加え，ＬＭＳサービス（LMS: Learning Management System）を提供するサイトにアクセスするためのハイパーリンク２００ｄや，ＳＮＳサービス（SNS: Social Networking Service）を提供するサイトにアクセスするためのハイパーリンク２００ｅを含んでいる。ＬＭＳサービスとしては楽譜を教材とするサービスや，演奏の個別指導を行うサービスが考えられる。ＳＮＳサービスとしては，演奏活動を複数名で実施する団体などにおける楽譜利用者間のコミュニケーション支援を可能にするサービスなどが考えられる。
【００３７】
ユーザ端末４を操作するユーザが検索ボタン２００ｂを選択すると，検索画面要求がユーザ端末４から楽譜販売サービス装置２へ送信され，ポータルサイト２０は，楽譜販売サービス装置２が取り扱う楽譜の楽譜検索を行えるように構成された楽譜検索画面２０１をユーザ端末４へ送信する（Ｓ２）。
【００３８】
図４（ｂ）は，楽譜検索画面２０１を説明する図である。図４（ｂ）で図示した楽譜検索画面２０１は，楽譜の検索条件の入力に用いるオブジェクトとして，キーワードを入力するキーワード用入力フォーム２０１ａと，書誌項目の選択に用いる書誌項目用リストボックス２０１ｂと，書誌項目用リストボックス２０１ｂで選択された書誌項目の項目データの選択に用いる項目データ用リストボックス２０１ｃと，楽譜の検索を実行するための検索実行ボタン２０１ｄを含む。キーワード用入力フォーム２０１ａ，書誌項目用リストボックス２０１ｂおよび項目データ用リストボックス２０１ｃを利用してユーザが設定した情報が楽譜の検索条件になる。
【００３９】
ユーザが楽譜検索画面２０１に楽譜の検索条件を設定した後，楽譜検索画面２０１の検索実行ボタン２０１ｄを選択すると，ユーザが楽譜検索画面２０１に設定した楽譜の検索条件を含む楽譜検索要求がユーザ端末４から送信され，ポータルサイト２０は，ユーザ端末４から送信された楽譜の検索条件を楽譜販売管理手段２１の楽譜検索部２１１に引き渡し，楽譜販売管理手段２１の楽譜検索部２１１は，書誌ＤＢ２５を利用して，楽譜の検索条件に適合する楽譜を検索する（Ｓ３）。
【００４０】
楽譜の検索条件に適合する楽譜の検索には，書誌データ２５０に含まれる書誌項目が利用される。図４（ｂ）で図示した楽譜検索画面２０１にて，キーワードが設定されている場合，楽譜の検索条件に適合する楽譜の楽譜識別番号として，検索条件のキーワードを項目データに含んでいる書誌データ２５０に関連付けられた楽譜識別番号が検索される。また，図４（ｂ）で図示した楽譜検索画面２０１にて，項目データが設定されている場合，楽譜の検索条件で設定されている項目データを含んでいる書誌データ２５０に関連付けられた楽譜識別番号が検索される。なお，キーワードを用いた楽譜の検索結果と項目データを用いた楽譜の検索結果の論理演算は論理積（ＡＮＤ論理）になる。
【００４１】
楽譜販売管理手段２１の楽譜検索部２１１は，書誌ＤＢ２５を利用して，楽譜の検索条件に適合する楽譜の楽譜識別番号を取得すると，ポータルサイト２０は，この楽譜識別番号に関連付けられている書誌データ２５０を利用して，楽譜の検索条件に適合する楽譜のリストを表示する楽譜の検索結果画面２０２を生成し，楽譜の検索結果画面２０２をユーザ端末４へ送信する（Ｓ４）。
【００４２】
図４（ｃ）は，楽譜の検索結果画面２０２を説明する図である。図４（ｃ）で図示した楽譜の検索結果画面２０２は，楽譜の検索条件に適合する楽譜の一覧を表示するリスト２０２ａと，楽譜の検索をやり直すための再検索ボタン２０２ｂを含む。図４（ｃ）で図示した楽譜の一覧を表示するリスト２０２ａには，楽譜の検索条件に適合する楽譜の楽譜識別番号，楽譜の曲名および楽譜の金額が表示されている。
【００４３】
ユーザが，楽譜の一覧を表示するリスト２０２ａに含まれる一つの楽譜を選択すると，選択された楽譜の楽譜識別番号を含む詳細画面要求がユーザ端末４から送信され，楽譜販売サービス装置２のポータルサイト２０は，詳細画面要求に含まれる楽譜識別番号に対応する書誌データ２５０を表示する楽譜詳細画面２０３を生成し，ユーザ端末４へ楽譜詳細画面２０３を送信する（Ｓ５）。
【００４４】
図４（ｄ）は，楽譜詳細画面２０３を説明する図である。図４（ｄ）で図示した楽譜詳細画面２０３には，書誌データ２５０に含まれる項目データの内容２０３ａと，書誌データ２５０に含まれる楽譜のサムネイル２０３ｂと，楽譜詳細画面２０３で表示した楽譜の音源データに変換して再生する再生ボタン２０３ｄと，楽譜の再生を停止する停止ボタン２０３ｅと，楽譜詳細画面２０３で表示した楽譜を購入手続きするための購入手続きボタン２０３ｃが含まれる。
【００４５】
ユーザが，楽譜詳細画面２０３で表示した楽譜を購入手続きするための購入手続きボタン２０３ｃを選択すると，楽譜詳細画面２０３で表示した楽譜の楽譜識別情報を含む購入手続き要求がユーザ端末４から送信され，楽譜販売サービス装置２のポータルサイト２０は，ログイン認証に必要な情報を入力するためのログイン画面２０４をユーザ端末４へ送信する（Ｓ６）。
【００４６】
図４（ｅ）は，ログイン画面２０４を説明する図である。図４（ｅ）で図示したログイン画面２０４には，ユーザのユーザ識別番号を入力するための識別番号用入力フォーム２０４ａと，ユーザの認証情報となるパスワードを入力するためのパスワード用入力フォーム２０４ｂと，ログインを実行するためのログインボタン２０４ｃが表示されている。
【００４７】
ユーザが，ユーザ識別番号とパスワードを入力して，ログインするためのログインボタン２０４ｃを選択すると，ユーザ識別番号とパスワードを含むログイン認証要求がユーザ端末４から送信される。楽譜販売サービス装置２のポータルサイト２０は，ログイン認証要求に含まれるユーザ識別番号とパスワードをログイン管理手段２４に引き渡して，楽譜を購入するユーザを認証する（Ｓ７）。
【００４８】
楽譜を購入するユーザの認証に成功し，ユーザが楽譜販売サービス装置２にログインした状態になると，楽譜販売サービス装置２のポータルサイト２０は，楽譜詳細画面２０３で表示した楽譜を注文するため楽譜発注画面２０５をユーザ端末４へ送信する（Ｓ８）。
【００４９】
図４（ｆ）は，楽譜発注画面２０５を説明する図である。図４（ｆ）で図示した楽譜発注画面２０５には，ユーザが購入する楽譜に係るデータ２０５ａ（例えば，楽譜識別番号，曲名，金額など）と，ユーザが購入する楽譜の発行形態（紙または電子）を選択するための発行形態用ラジオボタン２０５ｂと，発行形態が紙のときに有効になり，紙楽譜２６０ａに施す加工形態を選択するための加工形態用リストボックス２０５ｃと，ユーザが購入する楽譜の金額２０５ｄと，楽譜の購入代金を支払うための支払いボタン２０５ｅが表示されている。なお，楽譜発注画面２０５は，紙楽譜２６０ａに施す加工形態等に応じて，ユーザが購入する楽譜の金額を自動計算できるように構成されている。
【００５０】
ユーザが，ユーザが購入する楽譜の発行形態などを設定し，楽譜の金額を確認した後，楽譜の購入代金を支払うための支払いボタン２０５ｅを選択すると，ユーザが購入する楽譜の楽譜識別番号，楽譜の金額，楽譜の発行形態などの楽譜発注情報を含む決済要求がユーザ端末４から送信され，楽譜販売サービス装置２のポータルサイト２０は，楽譜販売管理手段２１の決済処理部２１２を作動させて，決済要求の楽譜発注情報に含まれ楽譜の金額を決済処理する（Ｓ９）。例えば，クレジット決済を行う場合，楽譜販売管理手段２１の決済処理部２１２は，ユーザのクレジット情報をクレジット会社へ送信して，楽譜の金額をクレジット決済する。
【００５１】
次に，楽譜販売サービス装置２の楽譜販売管理手段２１は，楽譜の金額を決済処理が終了すると楽譜販売管理部２１０を起動させ，楽譜販売管理部２１０は，決済要求に含まれる楽譜発注情報で示される発行形態に従い処理を分岐する（Ｓ１０）。
【００５２】
決済要求に含まれる楽譜発注情報で示される発行形態が紙の場合，楽譜販売管理手段２１の楽譜販売管理部２１０は，楽譜発注情報に含まれる楽譜識別番号に関連付けられた印刷用楽譜ファイル２６０を印刷用楽譜ＤＢ２６から取得した後，印刷用楽譜ＤＢ２６から取得した印刷用楽譜ファイル２６０の印刷と，この楽譜発注情報で示される加工形態の加工を指示する印刷要求をＰＯＤシステム３のＰＯＤ管理装置３０へ送信し（Ｓ１１），ＰＯＤシステム３のＰＯＤプリンタ３１に，印刷用楽譜ＤＢ２６から取得した印刷用楽譜ファイル２６０の印刷と，ユーザが指定した加工を行わせて紙楽譜２６０ａを製造して（Ｓ１２），図３で図示した手順は終了する。なお，ＰＯＤシステム３へ送信する印刷要求には，紙楽譜２６０ａに対応する書誌データ２５０の印刷も含ませることが望ましい。
【００５３】
決済要求に含まれる楽譜発注情報で示される発行形態が電子の場合，楽譜販売管理手段２１の楽譜販売管理部２１０は，楽譜発注情報に含まれる楽譜識別番号に関連付けられた電子楽譜ファイル２７０を電子楽譜ＤＢ２７から取得し，更に，この楽譜識別番号に関連付けられた書誌データ２５０を書誌ＤＢ２５から取得した後，ユーザ識別子に対応するライブラリ２８０に電子楽譜ファイル２７０のデータセット（電子楽譜ファイル２７０と書誌データ２５０）を追加して（Ｓ１３），図３の手順は終了する。なお，ユーザが購入した楽譜の電子楽譜ファイル２７０のデータセットは，ユーザ端末４から楽譜ダウンロード要求を受けたときに，楽譜販売サービス装置２からユーザ端末４へ送信される。
【００５４】
次に，楽譜販売サービス装置２が備えるアプリケーション配信手段２２について説明する。楽譜販売サービス装置２が備えるアプリケーション配信手段２２は，楽譜を活用できるように構成された楽譜アプリケーション２２０をユーザに配信するアプリケーション配信サービスで利用される機能である。アプリケーション配信手段２２は，図４（ａ）で図示したポータル画面２００で表示されるアプリケーションダウンロードボタン２００ａが選択されたときに起動し，電子楽譜ファイル２７０を取り扱えるように構成された楽譜アプリケーション２２０をユーザ端末４に送信し，楽譜アプリケーション２２０をユーザ端末４にインストールさせる。なお，スマートフォンのメーカが運営しているストアサイトで楽譜アプリケーション２２０を公開している場合，楽譜販売サービス装置２が備えるアプリケーション配信手段２２は，楽譜アプリケーション２２０を公開しているストアサイトのＵＲＬをユーザ端末４に送信し，ストアサイトを利用してユーザ端末４に楽譜アプリケーション２２０を送信する。
【００５５】
楽譜販売サービス装置２が備えるダウンロード管理手段２３は，ユーザが購入した電子楽譜ファイル２７０をユーザ端末４に送信する電子楽譜ダウンロードサービスで利用される機能である。楽譜販売サービス装置２が備えるダウンロード管理手段２３は，楽譜アプリケーション２２０が起動しているユーザ端末４から，ユーザが購入した電子楽譜ファイル２７０の一覧を要求するライブラリ表示要求を受けると，ユーザ端末４を利用して楽譜販売サービス装置２にログインしたユーザのユーザ識別番号に関連付けられてユーザＤＢ２８に保存されている電子楽譜ファイル２７０の一覧をユーザ端末４へ送信する。電子楽譜ファイル２７０の一覧はテキスト（例えば，電子楽譜ファイル２７０の曲名）などでもよいが，電子楽譜ファイル２７０に対応する楽譜のサムネイルを送信することが望ましい。そして，電子楽譜ファイル２７０の楽譜識別番号を含む楽譜ダウンロード要求がユーザ端末４から送信されると，楽譜販売サービス装置２のダウンロード管理手段２３は，楽譜ダウンロード要求で示される電子楽譜ファイル２７０のデータセットをユーザ端末４に送信する。
【００５６】
楽譜販売サービス装置２の説明を終了し，楽譜販売サービス装置２が提供する楽譜アプリケーション２２０の機能について説明する。実施形態１では，楽譜アプリケーション２２０が動作するユーザ端末４として利用するコンピュータ機器をタブレットコンピュータとしている。ユーザ端末４として利用するタブレットコンピュータには特別なデバイスは必要としないので，ユーザ端末４が有するハードウェアについての詳細な説明は行わなが，ユーザ端末４は，プロセッサ，ストレージ，メインメモリ，タッチパネル，無線通信用のネットワーク通信回路やオーディオデバイスなどを備えている。
【００５７】
図５は，楽譜アプリケーション２２０の機能を説明する図である。楽譜アプリケーション２２０は，楽譜販売サービス装置２のダウンロード管理手段２３を利用して電子楽譜ファイル２７０をユーザ端末４にダウンロードする機能となるダウンロード部２２１と，電子楽譜ファイル２７０に含まれるテキストを解釈し，電子楽譜ファイル２７０に対応する楽譜画像を表示デバイスに表示する機能となる楽譜画像表示部２２２と，それぞれ異なる楽譜編集機能を提供する複数の楽譜編集ツール２２３を有し，更に，楽譜販売サービス装置２にログインするログイン部２２４を有している。
【００５８】
楽譜アプリケーション２２０のログイン部２２４には，ユーザ端末４を操作するユーザのユーザ識別番号とユーザのパスワードが予め登録されており，楽譜アプリケーション２２０がユーザ端末４で起動すると，ログイン部２２４は，ログイン部２２４に登録されているユーザ識別番号とパスワードを含むログイン要求を楽譜販売サービス装置２のログイン管理手段２４へ送信して，楽譜販売サービス装置２にログインする。
【００５９】
楽譜アプリケーション２２０が有するダウンロード部２２１は，楽譜販売サービス装置２にログインした後に起動し，楽譜販売サービス装置２からダウンロードした電子楽譜ファイル２７０の一覧を表示する機能と，ユーザが購入した電子楽譜ファイル２７０の一覧を表示する機能と，ユーザが指定した電子楽譜ファイル２７０をユーザ端末４にダウンロードする機能を有している。
【００６０】
図６は，ダウンロード部２２１が有するホーム画面３００を説明する図，図７は，ダウンロード部２２１が有するライブラリ画面３０１を説明する図である。楽譜アプリケーション２２０が有するダウンロード部２２１は，これらの機能を実現するために，楽譜販売サービス装置２からダウンロードした電子楽譜ファイル２７０の一覧を表示するホーム画面３００と，ユーザがダウンロードした電子楽譜ファイル２７０の一覧を表示するライブラリ画面３０１を有する。
【００６１】
図６で図示したホーム画面３００には，ユーザ端末４のメモリに保存されている電子楽譜ファイル２７０ごとに，電子楽譜ファイル２７０のサムネイル３００ａが表示されている。また，ホーム画面３００とライブラリ画面３０１を切り替えるためのアイコン３００ｂが表示されている。
【００６２】
図７で図示したライブラリ画面３０１には，ログインしたユーザのユーザ識別番号に関連付けられてユーザＤＢ２８に保存されている電子楽譜ファイル２７０ごとに，電子楽譜ファイル２７０のサムネイル３０１ａが表示されている。楽譜アプリケーション２２０が有するダウンロード部２２１は，ライブラリ画面３０１を表示する操作がなされると，ユーザが購入した電子楽譜ファイル２７０の一覧を要求するライブラリ表示要求を楽譜販売サービス装置２のダウンロード管理手段２３へ送信して，ライブラリ画面３０１を表示する。なお，ライブラリ画面３０１において，ユーザ端末４にダウンロードしている電子楽譜ファイル２７０のサムネイル３０１ａには，ダウンロード済みのマークを付加して表示するとよい。
【００６３】
ユーザが，ライブラリ画面３０１に表示されている電子楽譜ファイル２７０のサムネイル３０１ａの一つを選択すると，楽譜アプリケーション２２０が有するダウンロード部２２１は，サムネイルが選択された電子楽譜ファイル２７０の楽譜識別番号を含む楽譜ダウンロード要求を楽譜販売サービス装置２のダウンロード管理手段２３へ送信し，楽譜販売サービス装置２のダウンロード管理手段２３から送信された電子楽譜ファイル２７０のデータセットをユーザ端末４のメモリに保存する。
【００６４】
楽譜アプリケーション２２０が有する楽譜画像表示部２２２は，ホーム画面３００に表示されている電子楽譜ファイル２７０のサムネイル３００ａが選択されたときに起動し，ホーム画面３００で選択された電子楽譜ファイル２７０をストレージから読み出しメモリに展開して，表示デバイスとなるタッチパネルに表示する。実施形態１では，音楽記号をテキストで扱うフォーマットで電子楽譜ファイル２７０が記述されているため，電子楽譜ファイル２７０に含まれるテキストを解釈し，電子楽譜ファイル２７０に含まれるテキストに対応する音楽記号の画像を五線の画像に描写することで，電子楽譜ファイル２７０に対応する楽譜画像を生成できる。
【００６５】
楽譜アプリケーション２２０が有する楽譜編集ツール２２３の具体的内容は任意に決定してよい。作品の改変に該当しない範囲で電子楽譜を移調する処理や，記号やコメントなどを電子楽譜に追加する処理を実行するコンピュータプログラムを楽譜編集ツール２２３として楽譜アプリケーション２２０に持たせることが一般的であるが，各パートの楽譜が縦方向に並べられた総譜（フルスコア）をパート譜に分割する処理を実行するコンピュータプログラムを楽譜編集ツール２２３にすることもできる。
【００６６】
楽譜アプリケーション２２０は，一つの楽譜編集ツール２２３を実行する操作がなされると，ユーザが操作した楽譜編集ツール２２３を実行させ，楽譜編集ツール２２３の処理結果に対応するテキストを，メモリに展開している電子楽譜ファイル２７０に追加することで，ユーザが実行した楽譜編集ツール２２３の処理結果を表示デバイスに表示している楽譜画像を反映させる。
【００６７】
また，楽譜アプリケーション２２０は，楽譜編集ツール２２３の処理結果を保存する操作がなれると，ユーザが実行した楽譜編集ツール２２３の処理結果をテキストで記した電子楽譜ファイル２７０の編集履歴を，電子楽譜ファイル２７０とは別にユーザ端末４のストレージに保存する。更に，楽譜アプリケーション２２０は，電子楽譜ファイル２７０の編集履歴を読み込む操作がなされると，ユーザが選択した電子楽譜ファイル２７０の編集履歴を，メモリに展開している電子楽譜ファイル２７０に追加することで，ユーザ端末４に表示している楽譜画像にその内容を反映させる。
【００６８】
図８は，楽譜アプリケーション２２０が楽譜画像の表示に用いる操作画面３０２を説明する図である。図８で図示した操作画面３０２には，ホーム画面３００で選択された電子楽譜ファイル２７０の楽譜画像３０２ａと，楽譜アプリケーション２２０が有する楽譜編集ツール２２３を起動させるための複数のアイコン３０２ｂ〜ｈが少なくとも表示されている。
【００６９】
操作画面に表示されているアイコン３０２ｂは，ホーム画面３００に戻るためのアイコンである。アイコン３０２ｃは，電子楽譜ファイル２７０の編集履歴を保存する機能を実行するためのアイコンで，アイコン３０２ｄは，電子楽譜ファイル２７０の編集履歴を読み込む機能を実行するためのアイコンである。アイコン３０２ｅは，記号やコメントなどを電子楽譜に追加する楽譜編集ツール２２３を起動させるアイコンで，アイコン３０２ｆは，作品の改変に該当しない範囲で電子楽譜を移調する楽譜編集ツール２２３を起動させるアイコンである。アイコン３０２ｇは，各パートの楽譜が縦方向に並べられた総譜をパート譜に分割する楽譜編集ツール２２３を起動させるアイコンである。また，アイコン３０２ｈは，楽譜の再生を開始するアイコンで，アイコン３０２ｉは，楽譜の再生を停止するアイコンである。なお，電子楽譜ファイル２７０の再生は，電子楽譜ファイル２７０を音源データに変換し，オーディオデバイスに出力することでなされる。
【００７０】
（実施形態２）
図９は，実施形態２に係る楽譜販売サービスシステム６の構成を説明する図である。なお，図９で図示した実施形態２に係る楽譜販売サービスシステム６において，ＰＯＤシステム３とユーザ端末４は実施形態１と同じであるため，実施形態１と同じ符号を付している。
【００７１】
実施形態１に係る楽譜販売サービスシステム１では，演奏者が自分の演奏に合わせて楽譜をアレンジできるように，音楽記号をテキストで扱うフォーマットで記述した電子楽譜ファイル２７０そのものをユーザ端末４にダウンロードさせていた。しかし，電子楽譜ファイル２７０の表示には，電子楽譜ファイル２７０の編集機能を有する楽譜アプリケーション２２０が必要になるため，楽譜をアレンジしないユーザでも，電子楽譜ファイル２７０の編集機能を有する楽譜アプリケーション２２０の操作方法を覚えなければならない。
【００７２】
そこで，実施形態２に係る楽譜販売サービスシステム６では，印刷媒体および電子媒体の両方で書籍を販売している既存の電子書籍流通プラットフォームを利用して，電子楽譜ファイル７７０１を販売できるようにすることを目的としている。
【００７３】
図９で図示したように，実施形態２に係る楽譜販売サービスシステム６は，ハイブリッドで楽譜を販売するサービスを提供する装置である書籍販売サービス装置７と，書籍販売サービス装置７と接続しているＰＯＤシステム３を含み，図９において，書籍販売サービス装置７とユーザ端末４はそれぞれインターネット５０を介して接続し，書籍販売サービス装置７とＰＯＤシステム３はイントラネット５１を介して接続している。
【００７４】
実施形態２に係る楽譜販売サービスシステム６に含まれるＰＯＤシステム３については，実施形態１で説明しているため，ここでは説明を省く。
【００７５】
書籍販売サービス装置７は，印刷媒体および電子媒体の両方で書籍を販売している既存の電子書籍サイトが運営されている装置で，書籍販売サービスを提供するポータルサイト７０を備え，更に，電子書籍サイトで販売されている電子書籍７７０と，ＰＯＤシステム３（具体的にはＰＯＤプリンタ３１になる）に対応した言語で記述した印刷用書籍ファイル７６０を記憶する。電子書籍サイトで販売されている電子書籍７７０には，音楽記号（音部記号，音符と休符，拍子記号，変化記号，調号と臨時記号， 演奏記号など）をテキストで扱うフォーマットで記述した電子楽譜ファイル７７０１を内包させた電子媒体の書籍である電子楽譜内包書籍７７００が含まれる。なお，音楽記号をテキストで扱うフォーマットとしては，楽譜のオープンフォーマットであるＭｕｓｉｃＸＭＬや，ＰＤＦ楽譜（PDF: Portable Document Format）を用いることができ、必要に応じてＤＲＭ（DRM: Digital Rights Management)を施すこともできる。
【００７６】
演奏者が自分の演奏に合わせて楽譜をアレンジすることがあるため，電子楽譜内包書籍７７７０に内包させる電子楽譜ファイル７７０１は編集可能であることが望ましく，実施形態２でも，電子楽譜ファイル７７０１の編集を容易に行えるように，音楽記号をテキストで扱うフォーマットで電子楽譜ファイル７７０１を記述している。音楽記号をテキストで扱うフォーマットで電子楽譜ファイル７７０１を記述することで，電子楽譜ファイル７７０１の編集履歴を，電子楽譜ファイル７７０１とは別のファイルで保存できる。電子楽譜ファイル７７０１の編集履歴を，電子楽譜ファイル７７０１とは別のファイルで保存すれば，ユーザは，アレンジごとに同じ電子楽譜ファイル７７０１を購入しなくとも，一つの電子楽譜ファイル７７０１を様々なアレンジに使い回しできる。
【００７７】
更に，実施形態２において，電子書籍７７０は，拡張可能なマーク付け言語を利用する電子書籍７７０のフォーマットで記述されている。拡張可能なマーク付け言語を利用する電子書籍７７０のフォーマットとしては，ＸＭＬ（XML: Extensible Markup Language）などを利用するＥＰＵＢが有名である。なお，電子書籍７７０のフォーマットに拡張可能なマーク付け言語を利用するのは，電子楽譜ファイル７７０１をエンコード（埋め込み）できるからである。
【００７８】
書籍販売サービス装置７は，ユーザ端末４から受信した書籍発注情報で示される発行形態が紙の場合，書籍発注情報で示される印刷用書籍ファイル７６０をＰＯＤシステム３へ送信し，書籍発注情報で示される印刷用書籍ファイル７６０の印刷と，書籍発注情報で示される加工を行った紙楽譜２６０ａを製造する。ＰＯＤシステム３のＰＯＤプリンタ３１で印刷した紙楽譜２６０ａは，書籍発注情報で指定された住所に配送されて，ユーザに引き渡される。
【００７９】
また，書籍販売サービス装置７は，ユーザ端末４から受信した書籍発注情報で示される発行形態が電子書籍７７０の場合，書籍発注情報で示される電子書籍７７０が，ユーザがダウンロードを希望するときに，インターネット５０を経由してユーザ端末４に送信され，ユーザに引き渡される。
【００８０】
ここから，書籍販売サービス装置７について詳細に説明する。図１０は，書籍販売サービス装置７が備える機能を説明する図である。書籍販売サービス装置７は汎用サーバを利用して実現される装置である。書籍販売サービス装置７として利用する汎用サーバには特別なデバイスは必要としないので，書籍販売サービス装置７が有するハードウェアについての詳細な説明は行わなが，書籍販売サービス装置７は，プロセッサ，メモリやネットワーク通信回路などを備え，大容量のストレージ（例えば，ハードディスク）と接続している。
【００８１】
図１０で図示したように，書籍販売サービス装置７は，コンピュータプログラムで実現される機能として，ポータルサイト７０，書籍販売管理手段７１，アプリケーション配信手段７２，ダウンロード管理手段７３，および，ログイン管理手段７４を備え，大容量のストレージに構築されたデータベース（DB: Data Base）として，印刷用書籍ＤＢ７６，電子書籍ＤＢ７７，書誌ＤＢ７５およびユーザＤＢ７８を備える。
【００８２】
電子書籍ＤＢ７７は，書籍識別番号に関連付けて，書籍識別番号に対応する電子書籍７７０を記憶するＤＢである。電子書籍ＤＢ７７に記憶する電子書籍７７０は，電子書籍７７０で表示する文字や画像を含む。電子楽譜内包書籍７７００の場合は，これらに加えて，電子楽譜ファイル７７０１が含まれる。電子楽譜ファイル７７０１は，楽譜提供者が提供する紙の楽譜に記された音楽記号を，ＡＩを利用したＯＣＲで認識してテキスト化（浄書）した後，テキスト化した楽譜の校正作業を行うことで生成できる。
【００８３】
図１１は，電子書籍ＤＢ７７に記憶する電子書籍７７０を説明する図で，図１１では，拡張可能なマーク付け言語を利用するフォーマットをＥＰＵＢとしている。図１１で図示したように，電子書籍ＤＢ７７に記憶する電子書籍７７０は，電子書籍７７０に含ませるコンテンツをフォルダにまとめたファイルで，電子書籍ＤＢ７７には圧縮された状態で記憶される。
【００８４】
ＥＰＵＢ形式の電子書籍７７０には，ＥＰＵＢ形式のファイルであることが記述されたｍｉｎｅｔｙｐｅファイル７７０ａ，電子書籍７７０のコンテンツの形式などが記述されたｃｏｎｔａｉｎｅｒ．ｘｍｌ７７０ｃなどを格納したＭＥＴＡ−ＩＮＦフォルダ７７０ｂ，電子書籍７７０のコンテンツなどを格納したｉｔｅｍフォルダ７７０ｄが含まれる。ｉｔｅｍフォルダ７７０ｄには，電子書籍７７０で表示するページ画像７７０ｆなどを格納するｉｍａｇｅフォルダ７７０ｅ，表示内容を記述したｘｈｔｍｌ形式のドキュメントファイル７７０ｈをページごとに格納したｘｈｔｍｌフォルダ７７０ｇなどを含む。
【００８５】
図１２は，電子書籍ＤＢ７７に記憶する電子楽譜内包書籍７７００を説明する図で，図１２で図示したように，電子書籍ＤＢ７７に記憶する電子楽譜内包書籍７７００は，電子楽譜内包書籍７７００に含ませるコンテンツをフォルダにまとめたファイルで，電子書籍ＤＢ７７には圧縮された状態で記憶される。
【００８６】
ＥＰＵＢ形式の電子楽譜内包書籍７７００には，電子書籍７７０の内容に加え，電子楽譜ファイル７７０１と，電子楽譜ファイル７７０１へのリンクを記述したドキュメントファイル７７０２が含まれる。拡張可能なマーク付け言語では，マークを任意に設定できるため，電子楽譜ファイル７７０１は，電子楽譜ファイル７７０１を示す専用のマークを利用してマークアップされる。図１２において，電子楽譜ファイル７７０１はｉｍａｇｅフォルダ７７０ｅに埋め込まれており， ｉｍａｇｅフォルダ７７０ｅに埋め込んだ電子楽譜ファイル７７０１へのリンクを記述し，電子楽譜ファイル７７０１を示す専用のマーク（ここでは，「musictext」）をフォルダ名に用いたドキュメントファイル７７０２がｘｈｔｍｌフォルダ７７０ｇに登録されている。
【００８７】
書籍販売サービス装置７が備えるユーザＤＢ７８は，ユーザに係る情報を記憶するＤＢである。ユーザＤＢ７８には，ユーザの識別に用いるユーザ識別番号に関連付けて，ユーザのパスワード，ユーザの決済情報（例えば，クレジットカード情報），および，ユーザが購入した電子書籍７７０を保存するユーザのライブラリ７８０が記憶される。ライブラリ７８０に保存する内容は任意であるが，こことで，電子書籍７７０とこれに対応する書誌データ７５０などをライブラリ７８０に記憶している。ユーザ識別番号とパスワードは，ユーザが書籍販売サービス装置７の利用登録を行ったときに，ユーザＤＢ７８に登録される。また，ユーザが購入した電子書籍７７０は，ユーザが電子書籍７７０を購入したときにライブラリ７８０に登録される。
【００８８】
書籍販売サービス装置７が備えるログイン管理手段７４は，書籍販売サービス装置７にログインするユーザを認証する機能を有する。書籍販売サービス装置７が備えるログイン管理手段７４は，ユーザ識別番号とパスワードが引き渡されると，ユーザ識別番号に関連付けてユーザＤＢ７８に記憶されているパスワードと，引き渡されたパスワードを照合することで，書籍販売サービス装置７にログインするユーザを認証する。
【００８９】
楽譜販売サービス装置７が備える書籍販売管理手段７１は，書籍の販売に係る楽譜販売サービスに用いられる機能で，書籍の販売に係るサービスを提供する機能として，書籍販売管理部７１０，書籍検索部７１１および決済処理部７１２を備えている。
【００９０】
書籍販売サービス装置７が備える書籍販売管理手段７１の動作を説明しながら，書籍販売管理手段７１およびポータルサイト７０について詳細に説明する。図１３は，書籍販売サービス装置７の動作を説明する図で，図１４は，ポータルサイト７０が有するウェブ画面を説明する図である。
【００９１】
書籍販売管理手段７１が備えるポータルサイト７０は，書籍の販売サービスに必要な複数のウェブ画面を有し，ポータルサイト７０へアクセスしたユーザ端末４へ，まず，書籍の販売に係るサービスの窓口となるポータル画面７００を送信する（Ｓ２０）。
【００９２】
図１４（ａ）は，ポータル画面７００を説明する図である。図１４（ａ）で図示したポータル画面７００は，書籍販売サービス装置７のアプリケーション配信手段７２を呼び出すときにユーザが操作するアプリケーションダウンロードボタン７００ａ，書籍検索を行うときにユーザが操作する検索ボタン７００ｂを有する。ここでは，ユーザに推奨する電子書籍７７０として，楽譜に係る電子書籍７７０のサムネイ７００ｃをポータル画面７００に含ませている。
【００９３】
ユーザ端末４を操作するユーザが検索ボタン７００ｂを選択すると，検索画面要求がユーザ端末４から書籍販売サービス装置７へ送信され，ポータルサイト７０は，書籍販売サービス装置７が取り扱う書籍の検索を行えるように構成された書籍検索画面７０１をユーザ端末４へ送信する（Ｓ２１）。
【００９４】
図１４（ｂ）は，書籍検索画面７０１を説明する図である。図１４（ｂ）で図示した書籍検索画面７０１は，書籍の検索条件の入力に用いるオブジェクトとして，キーワードを入力するキーワード用入力フォーム７０１ａと，書誌項目の選択に用いる書誌項目用リストボックス７０１ｂと，書誌項目用リストボックス７０１ｂで選択された書誌項目の項目データの選択に用いる項目データ用リストボックス７０１ｃと，書籍の検索を実行するための検索実行ボタン７０１ｄを含む。キーワード用入力フォーム７０１ａ，書誌項目用リストボックス７０１ｂおよび項目データ用リストボックス７０１ｃを利用してユーザが設定した情報が書籍の検索条件になる。
【００９５】
ユーザが書籍検索画面７０１に書籍の検索条件を設定した後，書籍検索画面７０１の検索実行ボタン７０１ｄを選択すると，ユーザが書籍検索画面７０１に設定した書籍の検索条件を含む書籍検索要求がユーザ端末４から送信され，ポータルサイト７０は，ユーザ端末４から送信された書籍の検索条件を書籍販売管理手段７１の書籍検索部７１１に引き渡し，書籍販売管理手段７１の書籍検索部７１１は，書誌ＤＢ７５を利用して，書籍の検索条件に適合する書籍を検索する（Ｓ２２）。
【００９６】
書籍の検索条件に適合する書籍の検索には，書誌データ７５０に含まれる書誌項目が利用される。図１４（ｂ）で図示した書籍検索画面７０１にて，キーワードが設定されている場合，書籍の検索条件に適合する書籍の書籍識別番号として，検索条件のキーワードを項目データに含んでいる書誌データ７５０に関連付けられた書籍識別番号が検索される。また，図１４（ｂ）で図示した書籍検索画面７０１にて，項目データが設定されている場合，書籍の検索条件で設定されている項目データを含んでいる書誌データ７５０に関連付けられた書籍識別番号が検索される。なお，キーワードを用いた書籍の検索結果と項目データを用いた書籍の検索結果の論理演算は論理積（ＡＮＤ論理）になる。
【００９７】
書籍販売管理手段７１の書籍検索部７１１は，書誌ＤＢ７５を利用して，書籍の検索条件に適合する書籍の書籍識別番号を取得すると，ポータルサイト７０は，この書籍識別番号に関連付けられている書誌データ７５０を利用して，書籍の検索条件に適合する書籍のリストを表示する書籍の検索結果画面７０２を生成し，書籍の検索結果画面７０２をユーザ端末４へ送信する（Ｓ２３）。
【００９８】
図１４（ｃ）は，書籍の検索結果画面７０２を説明する図である。図１４（ｃ）で図示した書籍の検索結果画面７０２は，書籍の検索条件に適合する書籍の一覧を表示するリスト７０２ａと，書籍の検索をやり直すための再検索ボタン７０２ｂを含む。図１４（ｃ）で図示した書籍の一覧を表示するリスト７０２ａには，書籍の検索条件に適合する書籍の書籍識別番号，書籍の名称および書籍の金額が表示されている。
【００９９】
ユーザが，書籍の一覧を表示するリスト７０２ａに含まれる一つの書籍を選択すると，選択された書籍の書籍識別番号を含む詳細画面要求がユーザ端末４から送信され，書籍販売サービス装置７のポータルサイト７０は，詳細画面要求に含まれる書籍識別番号に対応する書誌データ７５０を表示する書籍詳細画面７０３を生成し，ユーザ端末４へ書籍詳細画面７０３を送信する（Ｓ２４）。
【０１００】
図１４（ｄ）は，書籍詳細画面７０３を説明する図である。図１４（ｄ）で図示した書籍詳細画面７０３には，書誌データ７５０に含まれる項目データの内容７０３ａと，書籍のサムネイル７０３ｂと，書籍詳細画面７０３で表示した書籍を購入手続きするための購入手続きボタン７０３ｃが含まれる。
【０１０１】
ユーザが，書籍詳細画面７０３で表示した楽譜を購入手続きするための購入手続きボタン７０３ｃを選択すると，書籍詳細画面７０３で表示した書籍の書籍識別情報を含む購入手続き要求がユーザ端末４から送信され，書籍販売サービス装置７のポータルサイト７０は，ログイン認証に必要な情報を入力するためのログイン画面７０４をユーザ端末４へ送信する（Ｓ２５）。
【０１０２】
図１４（ｅ）は，ログイン画面７０４を説明する図である。図１４（ｅ）で図示したログイン画面７０４には，ユーザのユーザ識別番号を入力するための識別番号用入力フォーム７０４ａと，ユーザの認証情報となるパスワードを入力するためのパスワード用入力フォーム７０４ｂと，ログインを実行するためのログインボタン７０４ｃが表示されている。
【０１０３】
ユーザが，ユーザ識別番号とパスワードを入力して，ログインするためのログインボタン７０４ｃを選択すると，ユーザ識別番号とパスワードを含むログイン認証要求がユーザ端末４から送信される。書籍販売サービス装置７のポータルサイト７０は，ログイン認証要求に含まれるユーザ識別番号とパスワードをログイン管理手段７４に引き渡して，書籍を購入するユーザを認証する（Ｓ２６）。
【０１０４】
書籍を購入するユーザの認証に成功し，ユーザが書籍販売サービス装置７にログインした状態になると，書籍販売サービス装置７のポータルサイト７０は，書籍詳細画面７０３で表示した書籍を注文するため書籍発注画面７０５をユーザ端末４へ送信する（Ｓ２７）。
【０１０５】
図１４（ｆ）は，書籍発注画面７０５を説明する図である。図１４（ｆ）で図示した書籍発注画面７０５には，ユーザが購入する書籍に係るデータ７０５ａ（例えば，書籍識別番号，曲名，金額など）と，ユーザが購入する書籍の発行形態（紙楽譜２６０ａまたは電子書籍７７０）を選択するための発行形態用ラジオボタン７０５ｂと，発行形態が紙のときに有効になり，紙楽譜２６０ａに施す加工形態を選択するための加工形態用リストボックス７０５ｃと，ユーザが購入する書籍の金額７０５ｄと，書籍の購入代金を支払うための支払いボタン７０５ｅが表示されている。なお，書籍発注画面７０５は，紙楽譜２６０ａに施す加工形態等に応じて，ユーザが購入する書籍の金額を自動計算できるように構成されている。
【０１０６】
ユーザが，ユーザが購入する書籍の発行形態などを設定し，書籍の金額を確認した後，書籍の購入代金を支払うための支払いボタン７０５ｅを選択すると，ユーザが購入する書籍の書籍識別番号，書籍の金額，書籍の発行形態などの書籍発注情報を含む決済要求がユーザ端末４から送信され，書籍販売サービス装置７のポータルサイト７０は，書籍販売管理手段７１の決済処理部７１２を作動させて，決済要求の書籍発注情報に含まれる書籍の金額を決済処理する（Ｓ２８）。例えば，クレジット決済を行う場合，書籍販売管理手段７１の決済処理部７１２は，ユーザのクレジット情報をクレジット会社へ送信して，書籍の金額をクレジット決済する。
【０１０７】
次に，書籍販売サービス装置７の書籍販売管理手段７１は，書籍の金額を決済処理が終了すると書籍販売管理部７１０を起動させ，書籍販売管理部７１０は，決済要求に含まれる書籍発注情報で示される発行形態に従い処理を分岐する（Ｓ２９）。
【０１０８】
決済要求に含まれる書籍発注情報で示される発行形態が紙の場合，書籍販売管理手段７１の書籍販売管理部７１０は，書籍発注情報に含まれる書籍識別番号に関連付けられた印刷用書籍ファイル７６０を印刷用書籍ＤＢ７６から取得した後，印刷用書籍ＤＢ７６から取得した印刷用書籍ファイル７６０の印刷と，この書籍発注情報で示される加工形態の加工を指示する印刷要求をＰＯＤシステム３のＰＯＤ管理装置３０へ送信する（Ｓ３０）。次に，ＰＯＤ管理装置３０は，ＰＯＤプリンタ３１に印刷用書籍ＤＢ７６から取得した印刷用書籍ファイル７６０の印刷と，ユーザが指定した加工を行わせ，紙楽譜２６０ａを製造し（Ｓ３１），図３で図示した手順は終了する。なお，ＰＯＤシステム３へ送信する印刷要求には，紙楽譜２６０ａに対応する書誌データ７５０の印刷も含ませることが望ましい。
【０１０９】
決済要求に含まれる書籍発注情報で示される発行形態が電子書籍７７０の場合，書籍販売管理手段７１の書籍販売管理部７１０は，書籍発注情報に含まれる書籍識別番号に関連付けられた電子書籍７７０を電子書籍ＤＢ７７から取得し，更に，この書籍識別番号に関連付けられた書誌データ７５０を書誌ＤＢ７５から取得した後，ユーザ識別子に対応するライブラリ７８０に電子書籍７７０のデータセット（電子書籍７７０と書誌データ７５０）を追加して（Ｓ３２），図３で図示した手順は終了する。なお，ユーザが購入した電子書籍７７０は，ユーザ端末４から電子書籍７７０のダウンロード要求を受けたときに，書籍販売サービス装置７からユーザ端末４へ送信される。
【０１１０】
次に，書籍販売サービス装置７が備えるアプリケーション配信手段７２について説明する。アプリケーション配信手段７２は，図１４（ａ）で図示したポータル画面７００で表示されるアプリケーションダウンロードボタン７００ａが選択されたときに起動し，電子書籍ビューア７２０をユーザ端末４に送信し，電子書籍ビューア７２０をユーザ端末４にインストールさせる。なお，スマートフォンのメーカが運営しているストアサイトで電子書籍ビューア７２０を公開している場合，書籍販売サービス装置７が備えるアプリケーション配信手段７２は，このストアサイトのＵＲＬをユーザ端末４に送信し，ストアサイトを利用してユーザ端末４に電子書籍ビューア７２０を送信する。
【０１１１】
書籍販売サービス装置７が備えるダウンロード管理手段７３は，ユーザが購入した電子書籍７７０をユーザ端末４に送信するダウンロードサービスで利用される機能である。
【０１１２】
書籍販売サービス装置７が備えるダウンロード管理手段７３は，電子書籍ビューア７２０が起動しているユーザ端末４から，ユーザが購入した電子書籍７７０の一覧を要求するライブラリ表示要求を受けると，ユーザ端末４を利用して書籍販売サービス装置７にログインしたユーザのユーザ識別番号に関連付けられてユーザＤＢ７８のライブラリ７８０に保存されている電子書籍７７０の一覧をユーザ端末４へ送信する。電子書籍７７０の一覧はテキストなどでもよいが，電子書籍７７０のサムネイルを送信することが望ましい。そして，電子書籍７７０の書籍識別番号を含むダウンロード要求がユーザ端末４から送信されると，書籍販売サービス装置７のダウンロード管理手段７３は，ダウンロード要求で示される電子書籍７７０を少なくともユーザ端末４に送信する。
【０１１３】
書籍販売サービス装置７の説明を終了し，書籍販売サービス装置７が提供する電子書籍ビューア７２０の機能について説明する。実施形態２でも，電子書籍ビューア７２０が動作するユーザ端末４として利用するコンピュータ機器をタブレットコンピュータとしている。ユーザ端末４として利用するタブレットコンピュータには特別なデバイスは必要としないので，ユーザ端末４が有するハードウェアについての詳細な説明は行わなが，ユーザ端末４は，プロセッサ，ストレージ，メインメモリ，タッチパネル，無線通信用のネットワーク通信回路やオーディオデバイスなどを備えている。
【０１１４】
図１５は，電子書籍ビューア７２０の機能を説明する図である。電子書籍ビューア７２０は，書籍販売サービス装置７のダウンロード管理手段７３を利用して，電子書籍７７０をユーザ端末４にダウンロードする機能となるダウンロード部７２１と，電子書籍７７０を表示デバイスに表示する機能となる電子書籍表示部７２２と，電子楽譜内包書籍７７００から電子楽譜ファイル７７０１をデコードする機能となる電子楽譜抽出部７２３を有し，更に，書籍販売サービス装置７にログインするログイン部７２４を有している。
【０１１５】
電子書籍ビューア７２０のログイン部７２４には，ユーザ端末４を操作するユーザのユーザ識別番号とユーザのパスワードが予め登録されており，電子書籍ビューア７２０がユーザ端末４で起動すると，ログイン部７２４は，ログイン部７２４に登録されているユーザ識別番号とパスワードを含むログイン要求を書籍販売サービス装置７のログイン管理手段２４へ送信して，書籍販売サービス装置７にログインする。
【０１１６】
電子書籍ビューア７２０が有するダウンロード部７２１は，書籍販売サービス装置７にログインした後に起動し，書籍販売サービス装置７からダウンロードした電子書籍７７０の一覧を表示する機能と，ユーザが購入した電子書籍７７０の一覧を表示する機能と，ユーザが指定した電子書籍７７０をユーザ端末４にダウンロードする機能を有している。
【０１１７】
図１６は，ダウンロード部７２１が有するホーム画面８００を説明する図，図１７は，ダウンロード部７２１が有するライブラリ画面８０１を説明する図である。電子書籍ビューア７２０が有するダウンロード部７２１は，これらの機能を実現するために，書籍販売サービス装置７からダウンロードした電子書籍７７０の一覧を表示するホーム画面８００と，ユーザがダウンロードした電子書籍７７０の一覧を表示するライブラリ画面８０１を有する。
【０１１８】
図１６で図示したホーム画面８００には，ユーザ端末４のメモリに保存されている電子書籍７７０ごとに，電子書籍７７０のサムネイル８００ａが表示されている。また，ホーム画面８００とライブラリ画面８０１を切り替えるためのアイコン８００ｂが表示されている。
【０１１９】
図１７で図示したライブラリ画面８０１には，ログインしたユーザのユーザ識別番号に関連付けられてユーザＤＢ７８のライブラリ７８０に保存されている電子書籍７７０ごとに，電子書籍７７０のサムネイル８０１ａが表示されている。電子書籍ビューア７２０が有するダウンロード部７２１は，ライブラリ画面８０１を表示する操作がなされると，ユーザが購入した電子書籍７７０の一覧を要求するライブラリ表示要求を書籍販売サービス装置７のダウンロード管理手段７３へ送信して，ライブラリ画面８０１を表示する。なお，ライブラリ画面８０１において，ユーザ端末４にダウンロードしている電子書籍７７０には，ダウンロード済みのマークを付加して表示するとよい。
【０１２０】
ユーザが，ライブラリ画面８０１に表示されている電子書籍７７０のサムネイル８００ａの一つを選択すると，電子書籍ビューア７２０が有するダウンロード部７２１は，サムネイル８００ａが選択された電子書籍７７０の書籍識別番号を含むダウンロード要求を書籍販売サービス装置７のダウンロード管理手段７３へ送信し，書籍販売サービス装置７のダウンロード管理手段７３から送信された電子書籍７７０をユーザ端末４のメモリに保存する。
【０１２１】
電子書籍ビューア７２０が有する電子書籍表示部７２２は，ホーム画面８００に表示されている電子書籍７７０のサムネイル８００ａが選択されたときに起動し，ホーム画面８００で選択された電子書籍７７０をストレージから読み出しメモリに展開して，表示デバイスとなるタッチパネルに表示する。
【０１２２】
電子書籍ビューア７２０が有する電子楽譜抽出部７２３は，電子楽譜内包書籍７７００から電子楽譜ファイル７７０１を抽出する操作がユーザ端末４でなされると，タッチパネルに表示されている電子楽譜内包書籍７７００から電子楽譜ファイル７７０１を抽出する処理を実行し，電子楽譜内包書籍７７００から抽出した電子楽譜ファイル７７０１を所定のストレージに保存する。電子楽譜ファイル７７０１を保存するストレージはユーザ端末４のメモリでもよいが，ユーザが利用しているクラウドサービスのストレージにすることもできる。
【０１２３】
電子書籍ビューア７２０が有する電子楽譜抽出部７２３は，電子楽譜ファイル７７０１を示す専用のマークを記憶し，電子楽譜ファイル７７０１を示す専用のマークを利用して，電子楽譜ファイル７７０１を電子楽譜内包書籍７７００から抽出する。図１２を例にとれば，電子書籍ビューア７２０が有する電子楽譜抽出部７２３は，電子楽譜ファイル７７０１を示す専用のマークが用いられたドキュメントファイル７７０２から，電子楽譜ファイル７７０１の保存先を示すリンクを読み取り，このリンクを利用して，ドキュメントファイル７７０２に対応する電子楽譜ファイル７７０１を電子楽譜内包書籍７７００のｉｍａｇｅフォルダ７７０ｅから抽出する。
【０１２４】
図１８は，電子書籍ビューア７２０のメニュー画面８０２を説明する図である。図８で図示したメニュー画面８０２では，画面中央を長押されて，画面の上部にメニューが表示されている。このメニューには，ホーム画面８００に戻るためのアイコン８０２ａ，電子書籍７７０の目次を表示するアイコン８０２ｂ，電子書籍７７０にしおりを付けるアイコン８０２ｃ，電子書籍７７０の表示を拡大または縮小するアイコン８０２ｄに加え，電子書籍７７０が電子楽譜内包書籍７７００の場合，電子楽譜ファイル７７０１を電子楽譜内包書籍７７００から抽出するアイコン８０２ｅが含まれる。電子楽譜抽出部７２３は，アイコン８０２ｅがタップされると，電子楽譜ファイル７７０１を電子楽譜内包書籍７７００から抽出する処理を実行する。
【符号の説明】
【０１２５】
１    楽譜販売サービスシステム
２    楽譜販売サービス装置
２０  ポータルサイト
２１  楽譜販売管理手段
２２  アプリケーション配信手段
２２０  楽譜アプリケーション
２２１  ダウンロード部
２２２  楽譜画像表示部
２２３  楽譜編集ツール
２３  ダウンロード管理手段
２４  ログイン管理手段
２５  書誌ＤＢ
２５０  書誌データ
２６  印刷用楽譜ＤＢ
２６０  印刷用楽譜ファイル
２６０ａ  紙楽譜
２７  電子楽譜ＤＢ
２７０  電子楽譜ファイル
２８  ユーザＤＢ
２８０  ライブラリ
３    ＰＯＤシステム
３０  ＰＯＤ管理装置
３１  ＰＯＤプリンタ
４    ユーザ端末
６    楽譜販売サービスシステム
７    書籍販売サービス装置
７０  ポータルサイト
７１  書籍販売管理手段
７２  アプリケーション配信手段
７２０  電子書籍ビューア
７２１  ダウンロード部
７２２  電子書籍表示部
７２３  電子楽譜抽出部
７３  ダウンロード管理手段
７７  電子書籍ＤＢ
７７０  電子書籍
７７００  電子楽譜内包書籍
７７０１  電子楽譜ファイル
７７０２  ドキュメントファイル
７８  ユーザＤＢ
７８０  ライブラリ
【図１】
2020024683.tif 000003
【図２】
2020024683.tif 000004
【図３】
2020024683.tif 000005
【図４】
2020024683.tif 000006
【図５】
2020024683.tif 000007
【図６】
2020024683.tif 000008
【図７】
2020024683.tif 000009
【図８】
2020024683.tif 000010
【図９】
2020024683.tif 000011
【図１０】
2020024683.tif 000012
【図１１】
2020024683.tif 000013
【図１２】
2020024683.tif 000014
【図１３】
2020024683.tif 000015
【図１４】
2020024683.tif 000016
【図１５】
2020024683.tif 000017
【図１６】
2020024683.tif 000018
【図１７】
2020024683.tif 000019
【図１８】
2020024683.tif 000020